(57)【特許請求の範囲】
【請求項１】
デジタル図面の図面データを表示画面に表示する端末装置であって、
デジタル図面を受信するデジタル図面受信手段と、
前記表示画面の表示密度に関するデータを記憶する表示密度データ記憶手段と、
前記デジタル図面受信手段で受信したデジタル図面から、当該図面データを実寸印刷する際の縮尺データを抽出する縮尺データ抽出手段と、
前記表示密度データ記憶手段に記憶された表示密度データと、前記縮尺データ抽出手段で抽出した縮尺データとから演算処理を行い、前記表示画面にデジタル図面の図面データを表示する表示手段と、
三角スケールに付されている目盛りの縮尺に対応する、複数の段階の固定縮尺をリスト表示する固定縮尺提示手段と、
更に、前記縮尺データ抽出手段が、縮尺データを抽出することができなかった場合に、当該デジタル図面に縮尺データを属性情報として付与する縮尺データ付与手段と、を備え、
前記縮尺データ付与手段は、
前記デジタル図面の図面データを仮の縮尺データで前記表示画面に表示する仮表示手段と、
前記仮表示手段で表示された図面データを、ユーザの操作に基づいて、当該図面データに書き込まれた寸法と三角スケールの目盛りとが一致するサイズに拡大・縮小する拡大・縮小手段と、
前記リスト表示した複数の固定縮尺から、ユーザにより選択された、前記拡大・縮小した図面データと一致する三角スケールの縮尺に対応する固定縮尺の設定を受け付ける固定縮尺設定受付手段と、
前記固定縮尺設定受付手段で固定縮尺の設定を受け付けた際の前記拡大・縮小後の表示要求縮尺、設定を受け付けた固定縮尺、及び、前記仮表示手段が表示した際の仮の縮尺から、当該デジタル図面の図面データに、付与する縮尺データを演算する縮尺データ演算手段と、
を備えたことを特徴とする端末装置。
【請求項２】
前記デジタル図面受信手段は、前記デジタル図面を図面サーバから受信し、
前記縮尺データ付与手段で縮尺データを付与した属性情報を、当該受信したデジタル図面の属性情報として前記図面サーバに送信する属性情報送信手段、
を備えたことを特徴とする請求項１に記載の端末装置。
【請求項３】
前記固定縮尺提示手段で提示された複数の固定縮尺から１の固定縮尺の選択を受け付ける選択受付手段と、
前記表示手段は、前記選択受付手段で１の固定縮尺の選択を受け付けた際、選択された固定縮尺でデジタル図面の図面データを表示することを特徴とする請求項１、又は請求項２に記載の端末装置。
【請求項４】
前記デジタル図面受信手段が受信するデジタル図面が、当該デジタル図面の図面データがラスタ形式の図面データであった場合、縦、横両方向の図面解像度に関するデータを備えていることを特徴とする請求項１、又は請求項２に記載の端末装置。
【請求項５】
前記表示密度データ記憶手段が記憶する当該表示画面の密度に関するデータが、当該表示画面の「ピクセル数／表示画面の表示領域の実際の寸法」で表される値であり、この値を表示画面の縦、横両方向で記憶していることを特徴とする請求項１、請求項２、請求項３または請求項４記載の端末装置。
【請求項６】
デジタル図面の図面データを表示画面に表示し、前記表示画面の表示密度に関するデータを記憶する表示密度データ記憶手段を備えた端末装置における図面表示プログラムであって、
デジタル図面を受信するデジタル図面受信機能と、
前記デジタル図面受信機能で受信したデジタル図面から、当該図面データを実寸印刷する際の縮尺データを抽出する縮尺データ抽出機能と、
前記表示密度データ記憶手段に記憶された表示密度に関するデータと、前記縮尺データ抽出機能で抽出した縮尺データとから演算処理を行い、前記表示画面にデジタル図面の図面データを表示する表示機能と、
三角スケールに付されている目盛りの縮尺に対応する、複数の段階の固定縮尺をリスト表示する固定縮尺提示機能と、
更に、前記縮尺データ抽出機能が、縮尺データを抽出することができなかった場合に、当該デジタル図面に縮尺データを属性情報として付与する縮尺データ付与機能と、
をコンピュータに実現させ、
前記縮尺データ付与機能は、
前記デジタル図面の図面データを仮の縮尺データで前記表示画面に表示する仮表示機能と、
前記仮表示機能で表示された図面データを、ユーザの操作に基づいて、当該図面データに書き込まれた寸法と三角スケールの目盛りとが一致するサイズに拡大・縮小する拡大・縮小機能と、
前記リスト表示した複数の固定縮尺から、ユーザにより選択された、前記拡大・縮小した図面データと一致する三角スケールの縮尺に対応する固定縮尺の設定を受け付ける固定縮尺設定受付機能と、
前記固定縮尺設定受付機能で固定縮尺の設定を受け付けた際の前記拡大・縮小後の表示要求縮尺、設定を受け付けた固定縮尺、及び、前記仮表示機能が表示した際の仮の縮尺から、当該デジタル図面の図面データに、付与する縮尺データを演算する縮尺データ演算機能と、
を備えることを特徴とする端末装置の図面表示プログラム。
【発明の詳細な説明】
【技術分野】
【０００１】
本発明は、タブレット型端末装置等の表示画面に、設計図面などの図面データを表示する端末装置、及び端末装置の図面表示プログラムに関する。
【背景技術】
【０００２】
従来、建築現場や土木工事の現場等では、紙面に印刷された図面を用いて、ユーザが修正箇所への加筆や寸法計測を行っていた。ただし、上記現場では、使用する図面が膨大な枚数となる場合や図面に筆記具で加筆するための机やスペースが無いような場合もあるので、紙面に印刷された図面の持ち運び／その図面を用いた作業はユーザの負担が大きかった。
そこで、図面データベース等に管理された、紙面印刷用の図面データを、手軽に持ち運び出来るタブレット型端末装置等の端末装置で利用することが注目されている。
図１には、タブレット型端末装置５０の表示画面５１に図面データ（設計図面）を表示したところを示している。このようなタブレット型端末装置に図面データを表示することで、上記現場でも、ユーザは簡単に図面の閲覧、確認及び加筆・修正を行うことができる。そのため、紙面に印刷された図面を用いた場合に比して、ユーザの利便性は大いに向上している。
【０００３】
特許文献１記載の発明では、実寸と複写画像割合を適宜設定でき、複写画像と実寸との倍率関係を認識しやすくすることで、実寸のイメージを把握し易くする画像処理装置が開示されている。
【先行技術文献】
【特許文献】
【０００４】
【特許文献１】特開平６−１０５１２６号公報
【発明の概要】
【発明が解決しようとする課題】
【０００５】
ところが、図面データベース等で管理されたデジタル図面自体が、いくら実寸に準拠した縮尺データを保持していても、端末装置の表示画面（モニタ）に表示させると、その表示画面の属性（ピクセル数やその密度など）次第で、実寸に準拠した縮尺と異なる縮尺で表示されてしまうという問題があった。例えば、現場でユーザが三角スケール等の計測器具を用いて、端末装置の表示画面に表示された図面から直接寸法計測を行おうとしても、正確な寸法が得ることができなかった。これは、紙面に印刷された図面を用いた場合に比して、不便な点であった。
そこで、本発明の第１の目的は、端末装置の表示画面に、正確に実寸に準拠した縮尺で図面を表示させることができる端末装置、及び端末装置の図面表示プログラムを提供することである。
また、本発明の第２の目的は、デジタル図面の図面データの縮尺データが不明な場合、当該デジタル図面に縮尺データを付与することができる端末装置を提供することである。
【課題を解決するための手段】
【０００６】
請求項１記載の発明では、デジタル図面の図面データを表示画面に表示する端末装置であって、デジタル図面を受信するデジタル図面受信手段と、前記表示画面の表示密度に関するデータを記憶する表示密度データ記憶手段と、前記デジタル図面受信手段で受信したデジタル図面から、当該図面データを実寸印刷する際の縮尺データを抽出する縮尺データ抽出手段と、前記表示密度データ記憶手段に記憶された表示密度データと、前記縮尺データ抽出手段で抽出した縮尺データとから演算処理を行い、前記表示画面にデジタル図面の図面データを表示する表示手段と、三角スケールに付されている目盛りの縮尺に対応する、複数の段階の固定縮尺をリスト表示する固定縮尺提示手段と、更に、前記縮尺データ抽出手段が、縮尺データを抽出することができなかった場合に、当該デジタル図面に縮尺データを属性情報として付与する縮尺データ付与手段と、を備え、前記縮尺データ付与手段は、前記デジタル図面の図面データを仮の縮尺データで前記表示画面に表示する仮表示手段と、前記仮表示手段で表示された図面データを、ユーザの操作に基づいて、当該図面データに書き込まれた寸法と三角スケールの目盛りとが一致するサイズに拡大・縮小する拡大・縮小手段と、前記リスト表示した複数の固定縮尺から、ユーザにより選択された、前記拡大・縮小した図面データと一致する三角スケールの縮尺に対応する固定縮尺の設定を受け付ける固定縮尺設定受付手段と、前記固定縮尺設定受付手段で固定縮尺の設定を受け付けた際の前記拡大・縮小後の表示要求縮尺、設定を受け付けた固定縮尺、及び、前記仮表示手段が表示した際の仮の縮尺から、当該デジタル図面の図面データに、付与する縮尺データを演算する縮尺データ演算手段と、を備えたことを特徴とする端末装置を提供して、前記第１及び第２の目的を達成する。
請求項２に記載の発明では、請求項１記載の発明において、前記デジタル図面受信手段は、前記デジタル図面を図面サーバから受信し、前記縮尺データ付与手段で縮尺データを付与した属性情報を、当該受信したデジタル図面の属性情報として前記図面サーバに送信する属性情報送信手段、を備えたことを特徴とする。
請求項３に記載の発明では、請求項１、又は請求項２に記載の端末装置前記固定縮尺提示手段で提示された複数の固定縮尺から１の固定縮尺の選択を受け付ける選択受付手段と、前記表示手段は、前記選択受付手段で１の固定縮尺の選択を受け付けた際、選択された固定縮尺でデジタル図面の図面データを表示することを特徴とする。
請求項４に記載の発明では、請求項１、又は請求項２に記載の端末装置前記デジタル図面受信手段が受信するデジタル図面が、当該デジタル図面の図面データがラスタ形式の図面データであった場合、縦、横両方向の図面解像度に関するデータを備えていることを特徴とする。
請求項５に記載の発明では、請求項１、請求項２、請求項３または請求項４記載の端末装置前記表示密度データ記憶手段が記憶する当該表示画面の密度に関するデータが、当該表示画面の「ピクセル数／表示画面の表示領域の実際の寸法」で表される値であり、この値を表示画面の縦、横両方向で記憶していることを特徴とする。
請求項６に記載の発明では、デジタル図面の図面データを表示画面に表示し、前記表示画面の表示密度に関するデータを記憶する表示密度データ記憶手段を備えた端末装置における図面表示プログラムであって、デジタル図面を受信するデジタル図面受信機能と、前記デジタル図面受信機能で受信したデジタル図面から、当該図面データを実寸印刷する際の縮尺データを抽出する縮尺データ抽出機能と、前記表示密度データ記憶手段に記憶された表示密度に関するデータと、前記縮尺データ抽出機能で抽出した縮尺データとから演算処理を行い、前記表示画面にデジタル図面の図面データを表示する表示機能と、三角スケールに付されている目盛りの縮尺に対応する、複数の段階の固定縮尺をリスト表示する固定縮尺提示機能と、更に、前記縮尺データ抽出機能が、縮尺データを抽出することができなかった場合に、当該デジタル図面に縮尺データを属性情報として付与する縮尺データ付与機能と、をコンピュータに実現させ、前記縮尺データ付与機能は、前記デジタル図面の図面データを仮の縮尺データで前記表示画面に表示する仮表示機能と、前記仮表示機能で表示された図面データを、ユーザの操作に基づいて、当該図面データに書き込まれた寸法と三角スケールの目盛りとが一致するサイズに拡大・縮小する拡大・縮小機能と、前記リスト表示した複数の固定縮尺から、ユーザにより選択された、前記拡大・縮小した図面データと一致する三角スケールの縮尺に対応する固定縮尺の設定を受け付ける固定縮尺設定受付機能と、前記固定縮尺設定受付機能で固定縮尺の設定を受け付けた際の前記拡大・縮小後の表示要求縮尺、設定を受け付けた固定縮尺、及び、前記仮表示機能が表示した際の仮の縮尺から、当該デジタル図面の図面データに、付与する縮尺データを演算する縮尺データ演算機能と、を備えることを特徴とする端末装置の図面表示プログラムを提供して、前記第１及び第２の目的を達成する。
【発明の効果】
【０００７】
本発明によれば、表示画面の表示密度に関するデータと、縮尺データ抽出手段で抽出した縮尺データとから演算処理を行うこととしたので端末装置の表示画面に、正確に実寸に準拠した縮尺で図面データを表示させることができる。
また本願発明によれば、縮尺データが不明なデジタル図面の図面データに縮尺データを付与することができ、以後、端末装置の表示画面に、正確に実寸に準拠した縮尺でデジタル図面を表示させることができる。
請求項３記載の発明では、更に、ユーザの要求に応じた固定縮尺で正確に実寸に準拠した縮尺で図面データを表示させることができる。
請求項４記載の発明では、更に、デジタル図面の図面データがラスタ形式であっても、正確に実寸に準拠した縮尺で図面データを表示させることができる。
【図面の簡単な説明】
【０００８】
【図１】本実施形態に係るタブレット型端末装置を用いたシステムの概略を説明する図である。
【図２】三角スケールの外観を示した図である。
【図３】本実施形態に係るタブレット型端末装置の表示画面に所定の固定縮尺で表示した設計図面を三角スケールで計測している例を示した図である。
【図４】本実施形態で用いる図面サーバの構成を示したブロック図である。
【図５】本実施形態で用いるタブレット型端末装置の構成を示したブロック図である。
【図６】本実施形態に係るタブレット型端末装置の表示画面に所定の固定縮尺で図面データを表示した例を示した図である。
【図７】本実施形態に係るタブレット型端末装置の表示画面において所定の固定縮尺を選択するところ示した図である。
【図８】本実施形態に係るタブレット型端末装置の表示画面において選択された固定縮尺で図面データを表示したところを示した図である。
【図９】本実施形態の処理手順を示したフローチャートである。
【図１０】本実施形態に係る「アジャストモード」を説明する図である。
【図１１】本実施形態に係る「アジャストモード」で縮尺データを設定するところを示した図である。
【図１２】本実施形態に係る「アジャストモード」で縮尺データを設定する処理手順を示したフローチャートである。
【発明を実施するための形態】
【０００９】
以下、本発明の実施形態に係る端末装置を図１ないし図１２を参照して詳細に説明する。
（１）実施形態の概要
図１のタブレット型端末装置を用いたシステムの概略に示すように、タブレット型端末装置５０は、設計図面のデジタル図面を指定された縮尺で表示するよう指示を受けると、図面サーバ２０に保管された設計図面のデジタル図面を取得して、表示画面５１に紙面印刷時の設計図面と同様に、実寸に準拠した縮尺で当該デジタル図面に基づく設計図面、建築図面、土木図面などの図面データを表示する。
つまり、タブレット型端末装置５０は、デジタル図面の縮尺データと、タブレット型端末装置の表示画面の表示密度データから、実寸に準拠した縮尺で、タブレット型端末装置５０の表示画面５１に設計図面を正確に表示できるようになっている。
その結果、ユーザは、図３に示すように、表示画面５１に表示された設計図面に直接三角スケール等の測距用の器具を用いて、所望する紙に記載された図面と同様に特別な換算をすることなく距離、寸法を計測することができる。
【００１０】
（２）実施形態の詳細
まず、図１を参照して、本実施形態に係るタブレット型端末装置を用いたシステムの概略を説明する。
この実施形態で、デジタル図面とは、図面データとその図面データの付属情報を含んだものをいう。また、付属情報とは、当該図面データを実寸印刷する際の縮尺データ、当該図面データの解像度などを含んだものをいう。
図面データの実寸印刷とは、縮尺データに応じた印刷をすると、実際にその縮尺データの縮尺通り正確な寸法で印刷されることをいう。縮尺データ５０分の１の図面データを実寸印刷すれば５０分の１のサイズで図面が印刷される。
なお、本実施形態における表示端末としては、タブレットＰＣ等のタブレット型端末装置を例に説明するが、ノート型パソコンや携帯電話機等の表示画面上に画像を表示する機能を備えた各種の携帯端末へ適宜に応用できる。
【００１１】
設計図面などのデジタル図面の図面データを表示するためのタブレット型端末装置５０は、インターネット等のネットワークを介して図面サーバ２０と各種のデータの送受信が可能となっている。このタブレット型端末装置５０は、薄型で比較的軽量であるため、携帯に適しており、例えば、建築現場、土木の作業現場、測量の現場などに持ち込むのに特に便利である。
なお、このタブレット型端末装置５０として、例えば、表示画面５１に盛り上がった段差のある縁がなく、全体が平面となった形状からなるものを用いると、後述するように三角スケール１００を用いて計測するのに一層都合が良い。
【００１２】
ここで、上記測距用の器具としての三角スケール１００について説明する。三角スケール１００は、図２に示すように、図面の寸法を実際のサイズで計測するための定規である。例えば、ユーザは、縮尺が１／２０の図面より寸法を計測する場合、三角スケール１００に付された１／２０の縮尺に対応する目盛りで寸法を読み取れば、その値がそのまま実測値として取得できる。従って、三角スケール１００のユーザは、何らの換算等の面倒な計算をしないで簡単に実測値を得ることができる。
【００１３】
一例として、図２に示した三角スケール１００は、６面の各々に１／２０、１／５０、１／１００、１／２００、１／２５０、１／３００の縮尺に対応した目盛りを備えている。三角スケール１００には、建築士用、土木用、土地家屋調査用、一般用などがあり、用途に応じて記載されている縮尺率も多少相違している。
なお、本実施形態では、現場で広く用いられている三角スケール１００で図面上の寸法を計測することとしているが、タブレット型端末装置５０が表示画面５１に紙面印刷時の図面と等しい縮尺で図面を表示させるため、寸法と現実の寸法の対応関係を正確に把握していれば、通常の物差しや三角定規を用いて計測を行うこともできる。
【００１４】
次いで、図４及び図５を参照して、図面サーバ２０とタブレット型端末装置５０の構成について説明する。
図４は図面サーバ２０の構成を示したブロック図である。
この図面サーバ２０は、ＣＰＵ（中央演算処理装置）２２、ＲＯＭ（リード・オンリ・メモリ）２４、通信装置２６、表示装置２８、ＲＡＭ（ランダム・アクセス・メモリ）３０、入力装置３２、記憶装置３４を備えている。
ＣＰＵ２２は、各種プログラムに従った情報処理を実行することで、図面サーバ２０の各部を統括的に制御する。
ＲＯＭ２４は、ＣＰＵ２２が実行するための各種プログラムや当該プログラムの実行に必要なパラメータ等を記憶した読み取り専用メモリである。
通信装置２６は、図面サーバ２０をインターネットなどのネットワークに接続するための通信用インターフェイスである。図面サーバ２０は、この通信装置２６を介して後述する図面ＤＢ３８に記憶された図面データをタブレット型端末装置５０へ送信する。
【００１５】
表示装置２８は、液晶ディスプレイなどの表示デバイスであり、記憶された設計図面などを表示できるようになっている。
ＲＡＭ３０は、ＣＰＵ２２が図面の管理処理などを行う際に、ワーキングメモリを提供する読み書き可能なメモリである。
入力装置３２は、キーボード、マウスなどの入力デバイスを備えており、ユーザからの操作を受け付ける。
例えば、端末装置として携帯電話を使用して、図面サーバ２０のデジタル図面を検索する場合には効率や操作性がよくない。このような場合に、ユーザは、図面サーバ２０の表示装置２８や入力装置３２を直接操作することで、所望のデジタル図面を検索し、検索したデジタル図面を携帯電話へ送信するようにしてもよい。
記憶装置３４は、例えばハードディスクなどの大容量記憶媒体であり、ＣＰＵ２２が図面データの管理処理を行うための図面管理プログラム３６、当該図面データを保管する図面ＤＢ（データベース）３８などを記憶している。
【００１６】
図５はタブレット型端末装置５０の構成を示したブロック図である。
このタブレット型端末装置５０は、ＣＰＵ５２、ＲＯＭ５４、通信装置５６、表示装置５８、ＲＡＭ６２、画像入力装置６４、記憶装置６６を備えている。
ＣＰＵ５２は、本実施形態における図面表示プログラム等の各種プログラムに従った情報処理を実行することで、タブレット型端末装置５０の各部を統括的に制御する。
ＲＯＭ５４は、ＣＰＵ５２が実行するための各種プログラムや当該プログラムの実行に必要なパラメータ等を記憶した読み取り専用メモリである。
表示画面５１は、液晶ディスプレイなどの表示デバイスであり、所定の縮尺で設計図面などの図面データを表示できるようになっている。この表示画面５１の「表示画面のピクセル数／表示画面の実際の表示領域の実寸」で表される数値である表示画面５１の表示密度データは、後述する表示密度記憶部６９に記憶されている。
通信装置５６は、インターネットなどのネットワークに接続するための通信用インターフェイスである。この通信装置５６を介して図面サーバ２０からデジタル図面を受信するようになっている。
この通信装置５６は、デジタル図面取得手段として機能するが、デジタル図面は他の方法で取得してもよい。例えば、ＵＳＢ（Ｕｎｉｖｅｒｓａｌ  Ｓｅｒｉａｌ  Ｂｕｓ）等の半導体メモリを介して取得するようにしてもよい。更に、タブレット型端末装置５０の記憶装置６６から直接取得するようにしてもよい。この場合、記憶装置６６は、予めデジタル図面の図面データを記憶している。
また、デジタル図面の図面データを記憶しているＰＣに有線接続または無線接続することで、ＰＣから取得するようにしてもよい。
【００１７】
ＲＡＭ６２は、ＣＰＵ５２が図面の管理処理などを行う際に、ワーキングメモリを提供する読み書き可能なメモリである。
画像入力装置６４は、タッチパネルのことで、表示画面５１に表示された「選択キー（ボタン）」や、縮尺メニューのユーザによる選択を検出する。
記憶装置６６は、例えばハードディスクやＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）などの大容量記憶媒体を備えており、図面データを拡大・縮小して表示する図面表示プログラム６８などを記憶している。
ＣＰＵ５２が、この図面表示プログラム６８を実行することで、受信したデジタル図面に含まれる属性情報を参照し、表示画面５１の表示密度と比較して、選択された固定縮尺での設計図面を表示画面５１に表示する。また、表示画面５１に、指定された縮尺に応じてデジタル図面の図面データを拡大・縮小表示する。
また、記憶装置６６は、表示密度記憶部６９を備えており、上述した表示密度を記憶している。
表示密度はｐｐｉという単位で表示されることもある。ｐｐｉは、１インチにどれだけの画素（ピクセル）が含まれているかを表した値であり、ｄｐｉ（１インチあたりのドット数）で表示される場合もあり、表示画面の解像度とも呼ばれる。
【００１８】
次に、本実施形態で用いるデジタル図面について説明する。
図面サーバ２０の図面ＤＢ（データベース）３８に保管されているデジタル図面は、図面そのものを表示するための図面データと、この図面データの属性を表す属性情報を構成要素としている。
属性情報としては、例えばデジタル図面を紙面に実寸印刷した際の縮尺を表す縮尺データ（つまり、何分の一という縮尺の数値からなるデータ）、縦と横の解像度（ラスタ形式の図面データの場合）等が含まれる。
ここで、解像度とは、ビットマップの密度のことであり、ｄｐｉという単位で表示される。ｄｐｉとは、１インチにどれだけのドット（ビットマップ）が含まれているかを表した値であり、このｄｐｉの値が大きいほど、図面（画像）を細かい階調でより美麗に表現できる。
【００１９】
デジタル図面の図面データは、ベクタ形式のデータで構成されていても、ラスタ形式（ビットマップ形式）のデータで構成されていてもよい。
ここで、ベクタ形式のデータとは、コンピュータ内で処理する図面（図形）のデータを全て数値で管理する方式である。このベクタ方式では、図面（図形）を各頂点などの座標データとして保持しており、表示されるごとに輪郭となる線の情報を演算処理することで表現する。そのため、図面（図形）のサイズの変更や変形を施せば、それに応じた図面（図形）を表示できる。従って、修正・変形などを多々行う設計図面などに適した方式である。また、拡大・縮小表示を頻繁に行うタブレット型端末装置で用いるのにも適した方式である。
一方、ラスタ形式のデータとは、画像をビットマップで構成する方式である。
【００２０】
デジタル図面のデータがベクタ形式であり、紙面印刷時の縮尺が５０分の１であった場合、縮尺データは、「１／５０」である。
一方、図面データがラスタ形式の場合は、縦横方向それぞれの図面解像度も属性情報として保持する。
タブレット型端末装置５０の表示画面５１では、縦と横の表示密度が異なっている装置がある。例えば、縦１５０ｄｐｉ、横１００ｄｐｉで表示する装置が存在する。
そのため、縦横比の違いを縦横各々の表示密度を使って演算して、図面データを表示画面５１に表示する必要がある。
また、ラスタ形式の図面データ（ビットマップデータ）の場合、属性情報として縮尺データに加え、縦方向の図面解像度と横方向の解像度の両者を保持し、管理する必要がある。
【００２１】
従来のように、図面サーバ２０より送信されたデジタル図面の図面データをそのまま表示画面５１上に表示しても、必ずしも実寸に準拠した縮尺で表示することはできなかった。これは、表示画面の密度が各々の機器で相違し、この相違を考慮しないで、表示を行っていたためである。従って、例えば「実寸表示」とされているものでも、表示画面の密度を考慮していないので、正確な「実寸表示」ではなく、概ねの表示に過ぎなかった。
そこで、本実施形態では、表示画面５１の表示密度を考慮してデジタル図面の図面データを表示画面に応じたスケールに置き換えた上で、要求された縮尺のデジタル図面の図面データを生成する。すると、実寸印刷時の縮尺データに準拠したデジタル図面の図面データが表示できる。
ところで、表示密度とは、「表示画面のピクセル数／表示画面の実際の表示領域の実寸」で表される数値のことであり、所定の単位あたりのピクセル数（ドット数）の縦横それぞれを保持する。
【００２２】
次に、本実施形態を具体的数値を示して説明する。
ここで、公称密度とは、当該表示画面に１インチ当たりいくつのピクセル（ドット）が存在するかを当該表示画面のメーカーが公表した値である。
表示要求縮尺とは、ユーザがデジタル図面の図面データを表示する際に要求する縮尺のことであり、例えば、５０分の１の表示要求縮尺がユーザからあった場合、この実施形態では、表示画面５１に、実際の紙に印刷される５０分の１の図面と左右とも全く同一のサイズで表示される。
【００２３】
本実施形態に係るタブレット型端末装置５０では、表示画面５１の縦横それぞれの表示密度を保持する。即ち、この表示密度は、記憶装置６６の表示密度記憶部６９に記憶されている。
例えば、あるタブレット型端末装置５０の表示画面５１では、その縦方向の表示領域に対して、ピクセル数が７６８ピクセルで、実際の寸法が約１４８ｍｍ、横方向の表示領域に対して、１０２４ピクセル、約１９７ｍｍ、公称密度は１３２ｐｐｉ（ピクセル・パー・インチ）である場合の「表示密度」は１３２となる。
ここで、本実施形態で用いる座標換算値について、説明する。
座標換算値とは、「（縮尺データ／表示要求縮尺）×表示密度」（式１）で表される値をいう。なお、以下、この式を(式１）という。この座標換算値を正確に求め、その値をベクタ形式の図面データの座標値に乗ずることで、表示画面５１上に、正確に実寸に準拠した縮尺で図面データが表示される。この場合の図面データの座標値の単位は、表示画面の座標値の単位と同じインチとする。
なお、本実施形態では、座標換算値が縦横同値の場合について説明するが、異なる場合も存在する。この場合には、縦座標換算値、横座標換算値を個別に算出する。
【００２４】
まず、図面データが、ベクタ形式であった場合について説明する。
表示する図面データの付属情報として、縮尺データ５０分の１を保持しているとする。
このタブレット型端末装置５０で最初に図面データを表示する場合、座標換算値は、「（縮尺データ／表示要求縮尺）×表示密度」（式１）から、縦・横方向とも次の値になる。
座標換算値＝（（１／５０）／（１／５０））×１３２＝１３２
そして、このタブレット型端末装置５０が、ベクタデータ形式の図面データの座標値に、算出した座標換算値１３２を乗じる演算処理を行い、デジタル図面の図面データを表示画面５１に表示する。
【００２５】
また、タブレット型端末装置５０で選択された表示要求縮尺が１００分の１である場合の座標換算値は、縦・横方向ともに上記（式１）から次の値になる。
座標換算値＝（（１／５０）／（１／１００））×１３２＝６６
そして、このタブレット型端末装置５０が、ベクタデータ形式の図面データの座標値に、算出した座標換算値６６を乗じる演算処理を行い、デジタル図面の図面データを表示画面５１に表示する。
【００２６】
次に、図面データが、ラスタ形式であった場合について説明する。
この場合も表示する図面データの付属情報として、縮尺データ５０分の１に加えて、縦横の解像度として６００ｄｐｉを保持しているものとする。
一方この表示画面５１の表示密度が１３２ｐｐｉ（ピクセル・パー・インチ）であったものとする。
ここで、タブレット型端末装置５０分の１の表示要求縮尺の選択をユーザから受けると、図面データがラスタ形式であった場合、座標換算値は、「（縮尺データ／表示要求縮尺）×表示密度」（式１）を図面解像度で除した値となることから、縦・横方向と５０／５０×１３２／６００＝０．２２となる。
【００２７】
そして、このタブレット型端末装置５０が、ラスタデータのピクセル座標値に０．２２を乗じる演算処理を行い、デジタル図面の図面データを表示画面５１に表示する。
また、タブレット型端末装置５０から１００分の１の表示要求縮尺の選択をユーザから受けると、座標換算値は、「（縮尺データ／表示要求縮尺）×表示密度」（式１）から、縦・横方向とも５０／１００×１３２／６００＝０．１１となる。
そして、このタブレット型端末装置５０が、ラスタデータのピクセル座標値に０．１１を乗じる演算処理を行い、デジタル図面の図面データを表示画面５１に表示する。
【００２８】
次に、本実施形態に係るタブレット型端末装置５０における、表示画面５１への表示の具体例をあげて説明する。
図６は、図面サーバ２０から受信したデジタル図面の図面データ（設計図面）を、表示画面５１に表示したところを示した図である。この例では、縮尺データとして１００分の１を保持していたため、最初に図面データを表示する場合の表示要求縮尺のデフォルト値として、図面データの縮尺データ１／１００を用いて表示している。
この表示している縮尺を明示するため、表示画面５１の左上に縮尺表示「１／１００」を表示している。なお、この縮尺表示はユーザの選択により、非表示にすることも可能である。
この例では、最初の表示を受信したデジタル図面の付属情報である縮尺データに応じた表示としたが、本実施形態はこれに限られない。例えば、一律に決まった縮尺で表示するようにしてもよいし、その都度、事前にユーザからの設定を受け付けるようにしてもよい。
この表示画面５１に表示された図面データ（設計図面）は、この図面データを実寸印刷したときと全く同一のサイズである。そのため、この表示画面５１上に三角スケール１００を直接載置して、表示縮尺に対応する「１／１００」の目盛りを読み取ることで、実際の寸法・距離を計測できる。
【００２９】
次に、図７を参照して、表示する図面データの縮尺を変更する手順を説明する。
本実施形態に係るタブレット型端末装置５０では、表示画面５１に、紙図面で一般に使用される固定縮尺で実寸表示要求を出すことができる。図６に示した例では、表示画面５１の左上の縮尺表示に示すように、「１／１００」で図面データを表示している。これを２倍に拡大し、「１／５０」で表示する場合について説明する。
ユーザが、表示画面５１の左上に表示されている縮尺表示「１／１００」（図６参照）を選択すると、タブレット型端末装置５０は、図７に示すように、複数の固定縮尺を表示した固定縮尺メニュー２００をプルダウンメニュー表示する。
このように、タブレット型端末装置５０が固定縮尺メニュー２００を表示することで、ユーザは次に表示したい所望の縮尺を簡単に選択することができる。
【００３０】
この固定縮尺メニュー２００には、例えば、１／２０、１／５０、１／１００、１／２００、といった、三角スケール１００での計測で一般的に用いられている数値に対応して表示されている。
なお、上記したように、三角スケール１００にはいくつかの種類があり、それぞれが多少異なる縮尺に対応している。そのため、固定縮尺メニュー２００で提示する縮尺が、それら全てに対応しているようにすれば、どの三角スケール１００を用いても計測が可能となる。
【００３１】
ここで、ユーザから、固定縮尺メニュー２００の「１／５０」縮尺の選択を受け付けたとする。この値が「表示要求縮尺」となる。
タブレット型端末装置５０は、選択された表示要求縮尺と、デジタル図面の属性情報（縮尺データ「１／１００」）、及び表示画面５１の表示密度とから、座標換算値を算出し、表示画面５１に図面データを実寸表示する。
具体的には、上記したタブレット型端末装置５０の例で、ベクタ形式の図面データを表示する場合、座標換算値は、式１の「（縮尺データ／表示要求縮尺）×表示密度」から、縦・横方向ともに（（１／１００）／（１／５０））×１３２＝２６４となる。
そして、このタブレット型端末装置５０が、ベクタ形式の図面データの各座標値に座標換算値２６４を乗じる演算処理を行い、デジタル図面の図面データを表示画面５１に表示する。
【００３２】
図８は、ユーザの選択に従って、縮尺「１／５０」で図面データを表示したところを示した図である。
この図８に示されるように、選択前の図６に比べて図面データは縦横共に２倍の大きさで表示される。
その際、表示画面５１の左上には、図８に示すように、縮尺表示として、現在ユーザによって選択されている固定縮尺（「１／５０」）が明示される。
ユーザは、この表示画面５１に表示された縮尺表示に合わせて、三角スケール１００の縮尺値「１／５０」に対応した目盛りを、設計図面の表示画面５１上に直接あてることで、換算することなく簡単に実際の寸法を読み取ることができる。
また、従来の紙に印刷された図面の縮尺が１００分の１であった場合、ユーザは、三角スケール１００の縮尺値１／１００の目盛りを用いて計測するしかなかった。これに対して本実施形態の場合、例えば画面上で５０分の１の固定縮尺を選択すれば、２倍に拡大表示でき、５０分の１の三角スケールの目盛りを使うことで、より正確な計測を行うことができる。
【００３３】
次に、タブレット型端末装置５０によるデジタル図面の固定縮尺による表示処理の手順について、図９のフローチャートを参照して説明する。
この固定縮尺による表示処理は、ＣＰＵ５２が図面表示プログラム６８を実行することで行われる。
まず、ＣＰＵ５２は、ユーザからタブレット型端末装置５０に表示する設計図面の指定要求を受け付けると、ネットワークを介して図面サーバ２０にアクセスする。このとき、必要に応じて、ユーザの指定情報（ユーザＩＤやパスワード）を図面サーバ２０に送信する。
その後、ユーザが所望のデジタル図面の図面番号等を選択、または入力すると、ＣＰＵ５２は、図面サーバ２０に、図面番号等を送信してデジタル図面を要求する。
この要求に対して、図面サーバ２０から当該指定された図面番号等に該当するデジタル図面が送信されると、ＣＰＵ５２は通信装置５６を介してデジタル図面を受信する(ステップ１０）。以下、デジタル図面の図面データは、ベクタ形式である場合を例に説明する。
次に、ＣＰＵ５２は、  ステップ１０で受信したデジタル図面から属性情報を抽出する(ステップ１１）。具体的には、図面データがベクタ形式なので、縮尺データを抽出する。なお、図面データがラスタ形式である場合には、更に解像度も抽出する。
【００３４】
次に、ＣＰＵ５２は、表示密度記憶部６９に記憶されている表示画面５１の表示密度を取得し、この表示密度と属性情報として取得した縮尺データを用いて、表示画面５１に図面データを表示する（ステップ１２）。
すなわちＣＰＵ５２は、式１に基づき座標換算値を演算処理する際、図面データの縮尺データをデフォルトの表示要求縮尺として用いる。そしてＣＰＵ５２は、図面データの各座標値に、演算処理で求めた座標換算値を乗じることで、図６に示すように、図面データ（設計図面）を表示画面５１に表示する。このとき、同時に、表示画面５１の左上に縮尺表示「１／１００」の表示を行う。
【００３５】
次に、ユーザから表示する縮尺を変更するための固定縮尺メニュー２００の表示要求を受けると、ＣＰＵ５２は、図７に示すように、表示画面５１の左上に複数の固定縮尺が記載された固定縮尺メニューを２００表示する（ステップ１３）。
次に、ＣＰＵ５２は、ユーザより、表示画面５１に表示した固定縮尺メニュー２００から、特定の固定縮尺の選択を受け付ける（ステップ１４）。
次に、ＣＰＵ５２は、ステップ１４にて固定縮尺の選択を受け付けると、受け付けた固定縮尺を表示要求縮尺として、ステップ１２で行った演算処理と同様の演算処理を行う。即ち、縮尺データと表示密度に変更はないので、ＣＰＵ５２は選択された固定縮尺「１／５０」を「表示要求縮尺」をとして、式１に基づいて座標換算値を演算し、求めた座標換算値を用いて、図８に示すように、図面データを表示画面５１に表示する(ステップ１５）。
このときＣＰＵ５２は、図８に示すように、図面データ（設計図面）とともに、選択された固定縮尺の値「１／５０」を縮尺表示として表示画面５１の左上に表示する。
【００３６】
その結果、ユーザは、この表示画面５１に表示された設計図面に対して、固定縮尺の値を参考にして三角スケール１００のスケールを切り替え、直接表示画面５１に三角スケール１００をかざして寸法を読み取ることができる。
その後、ＣＰＵ５２は、ユーザからの他の固定縮尺値による表示要求（固定縮尺の選択）があるか否かを判断し(ステップ１６）、あると判断した場合(ステップ１６；Ｙ）、ステップ１３以降の処理を継続する。
一方、ＣＰＵ５２は、ユーザからの他の固定縮尺値による表示要求がないと判断した場合(ステップ１６；Ｎ）、本フローチャートに係る処理を終了する。
【００３７】
次に、本発明の変形例として、図面の縮尺データが不明の際に使用するアジャストモードについて説明する。
上記した実施形態は、デジタル図面が図面データと共に、その属性として縮尺データを保持していることを前提としていたが、縮尺データを保持していない場合、またはその縮尺情報が間違っている場合があり得る。
この変形例では、タブレット型端末装置５０側で、当該デジタル図面に属性情報としての縮尺データを付与し、実寸に準拠した縮尺で図面データを正確に表示させることができるようにする。
【００３８】
ここでは、デジタル図面の属性情報として、縮尺データを保持していない場合を想定する。具体的には、ＣＰＵ５２が、図面表示プログラム６８を実行して、受信したデジタルデータから付属情報として縮尺データを抽出できなかった場合である。
ところで、通常、多くの図面には何らかの実寸法値が書き込まれている。
図１０は、寸法が書き込まれている図面データを表示画面５１に表示した例を示した図である。この例では、ある箇所に１３ｍという寸法表示がされていたものとする。
【００３９】
ここで、ＣＰＵ５２が、付属情報として縮尺データを抽出できなかった場合に、「アジャスト」ボタンを表示画面５１の右下に表示する。
ここで、図１０で表示される図面データは、縮尺データが不明なので、図面データを表示するための仮の値として、仮の縮尺値（仮縮尺）を１／２００とし、この仮縮尺と同じ縮尺１／２００を表示要求縮尺のデフォルト値の仮の値（仮デフォルト表示要求縮尺）として、上述の式１から仮座標換算値を算出する。なお、式１における表示計数はいまαとする。
すなわち、仮座標換算値＝（（１／２００）／（１／２００））×αとなる。
そして、「アジャスト」ボタンの押下をユーザから受け付けると、ＣＰＵ５２は、付属情報として縮尺データを付与するアジャストモードに移行する。
図１１は、アジャストモードに移行した表示画面５１の例を示した図である。アジャストモードに移行すると、ＣＰＵ５２は、表示画面５１の右下に選択スケール縮尺をリスト表示する。
このリスト表示の対象は、三角スケールに付されている目盛りの縮尺に対応している。
【００４０】
この状態で、ユーザから表示画面５１に表示した図面データの拡大・縮小の指示を受け付ける。この図面データの拡大・縮小は、タッチパネルである画像入力装置６４からユーザの指での操作を受け付けることにより、微妙に図面データの拡大・縮小表示を行うようにしてもよい。また、所定の値に段階的に変化させることにより行っても良い。
ＣＰＵ５２は、仮デフォルト表示要求縮尺（１／２００）から、表示画面５１に拡大・縮小表示した後の縮尺を仮表示要求縮尺として記憶しておく。いま、ユーザの拡大・縮小操作により、元のサイズから２倍の指示がされた場合には、仮デフォルト表示要求縮尺（１／２００）の２倍の値である１／１００が仮表示要求縮尺として記憶される。
なお、ＣＰＵ５２は、拡大・縮小表示の指示値（２倍）に対応して、仮座標換算値も２倍にすることで図面データを表示する。
【００４１】
ユーザは、三角スケールを表示画面５１上に置き、指で操作することにより、表示画面５１に表示されている図面データを微妙に調整しながら、拡大・縮小を行う。そして、三角スケールの目盛りと図面データに書き込まれた寸法が一致する図面データのサイズを探す。
図１１の例では、仮デフォルト表示要求縮尺１／２００で最初に表示した状態から、拡大・縮小操作により２倍の縮尺１／１００が仮表示要求縮尺となっていて、この時に表示画面５１で１３ｍと書き込まれた箇所の寸法（記載寸法）と、三角スケール（１／１００）の目盛りの１３ｍとが丁度一致している。
この状態において、ユーザは、リスト表示された選択スケール縮尺の中から、計測した三角スケールの縮尺（１／１００）に対応する、選択スケール縮尺（１／１００）を押下する。
【００４２】
ＣＰＵは、押下された選択スケール縮尺と、拡大・縮小操作後の仮表示要求縮尺との比から、図面データの縮尺データを次の式２によって算出する。
縮尺データ＝仮縮尺×（選択スケール縮尺／仮表示要求縮尺）…（式２）
この式２に、上記例の値を代入すると、縮尺データとして次の値が求まる。
縮尺データ＝仮縮尺（１／２００）×（選択スケール縮尺（１／１００）／仮表示要求縮尺（１／１００））＝１／２００
従って、この例では、付与すべき縮尺データとして「１／２００」が求められた。
【００４３】
なお、ユーザが選択スケール縮尺１／５０を選択した場合の縮尺データは次の値になる。
縮尺データ＝仮縮尺（１／２００）×（選択スケール縮尺（１／５０）／仮表示要求縮尺（１／１００））＝１／１００
【００４４】
この設定が行われると、ＣＰＵ５２は、以後この縮尺データを当該デジタル図面の属性情報として付与する。このデジタル図面の属性情報として、縮尺データが保持されるので、当該デジタル図面は、このタブレット型端末装置５０で、他の縮尺による固定縮尺表示も可能となる。
その後、このタブレット型端末装置５０は、縮尺データを付与した属性情報を図面サーバ２０に送信し、当該デジタル図面の属性情報とする。
この図面サーバ２０への送信は、縮尺データを付与した際、送信を促す表示を出してもよいし、次回、当該タブレット型端末装置５０が、図面サーバ２０にアクセスした際、自動的に送信する設定としてもよい。
【００４５】
次に、タブレット型端末装置５０によるデジタル図面に縮尺データを付与する処理の手順について、図１２のフローチャートを参照して説明する。
まず、ＣＰＵ５２は、ユーザからタブレット型端末装置５０に表示する設計図面の指定要求を受け付けると、ネットワークを介して図面サーバ２０にアクセスする。このとき、必要に応じて、ユーザの指定情報（ユーザＩＤやパスワード）を図面サーバ２０に送信する。その後、ユーザが所望のデジタル図面の図面番号等を選択、または入力すると、ＣＰＵ５２は、図面サーバ２０に、図面番号等を送信してデジタル図面を要求する。
この要求に対して、図面サーバ２０から当該指定された図面番号等に該当するデジタル図面が送信されると、ＣＰＵ５２は通信装置５６を介してデジタル図面を受信する(ステップ３０）。
【００４６】
次に、ＣＰＵ５２は、ステップ３０にて受信したデジタル図面から属性情報を抽出する(ステップ３１）。このとき、属性情報に縮尺データが含まれていなかった場合（ステップ３２；Ｙ）、図面データを所定の縮尺で表示する演算処理が行えないため、ＣＰＵ５２は、予め決められた仮縮尺（例えば１／２００）と、仮デフォルト表示要求縮尺（＝仮縮尺１／２００）を使用して、座標換算値を演算する。ＣＰＵ５２は、この座標換算値を使用して図面データ（設計図面）を表示画面５１に仮の縮尺で表示する（ステップ３３）。
またＣＰＵ５２は、図１０に示すように、表示画面５１の右下に「アジャスト」ボタンを表示する。この「アジャスト」ボタンが表示されることで、ユーザは、縮尺データが不明であることを認識することができる。
なお、図１０には表示していないが、表示画面５１の左上に縮尺表示として「仮縮尺１／２００」と表示するようにしてもよい。
【００４７】
そして、ユーザから「アジャスト」ボタンの押下を受け付けると、ＣＰＵ５２は、表示画面５１を図１１に示すように、表示画面５１の右下に選択スケール縮尺をリスト表示し、アジャストモードに切り替える。このアジャストモードにおいて、ＣＰＵ５２は、ユーザの指示に従い、表示している図面データの拡大・縮小を行う(ステップ３５）。
すなわち、ＣＰＵ５２は、仮デフォルト表示要求縮尺（１／２００）から、表示画面５１に拡大・縮小表示した後の縮尺を仮表示要求縮尺として記憶しておく。いま、ユーザの拡大・縮小操作により、元のサイズから２倍の指示がされた場合には、仮デフォルト表示要求縮尺（１／２００）の２倍の値である１／１００が仮表示要求縮尺として記憶される。
【００４８】
なお、属性情報に縮尺データが存在していた場合(ステップ３２；Ｎ）、ユーザから「アジャスト」ボタンの選択を受け付けなかった場合（ステップ３４；Ｎ）、ＣＰＵ５２は、処理を終了する。
【００４９】
そして、ユーザから表示画面５１の右下にリスト表示した選択スケール縮尺の中から選択スケール縮尺の選択を受け付けると、(ステップ３６；Ｙ）、ＣＰＵ５２は、上記式２に基づき演算処理を行い、当該図面データの縮尺データを求める。そして、当該デジタル図面に縮尺データを付与する(ステップ３７）。
その後、縮尺データが付与された属性情報を図面サーバ２０へ送信して(ステップ３８）、アジャストモードの処理を終了する。
なお、ステップ３８の処理は、アジャストモード終了後に行うようにしてもよい。
【００５０】
本変形例によれば、デジタル図面の属性情報として、縮尺のデータが存在しない場合であっても、後に縮尺のデータを付与することができ、以後、正確に実寸に準拠した縮尺で図面を表示させることができる。
【００５１】
上記した変形例では、縮尺データが存在しない場合について説明したが、存在していた縮尺データが誤っていた場合にも、同様の処理で正しい縮尺データを付与（訂正）することができる。
この場合、縮尺データそのものは存在しているため、「アジャスト」ボタンは表示されない。このため、縮尺の誤りに気づいたユーザは、縮尺修正のために、アジャストモードに移行するための操作を行う。この操作がされた場合に、図１０の「アジャスト」ボタンが選択された場合と同様の処理を行う。
【００５２】
以上説明した本実施形態や変形例では、設計図面を中心に説明したが、本発明は、これに限定されることなく、例えば、地図の表示などにも応用することができる。
また、本実施形態は、実物を縮小して表示する図面データだけでなく、実物を実寸で表示する図面データにも対応できる。紙の図面に比較して、携帯に便利であり、また、表示画面５１上で、通常の定規を使って、寸法を計測することもできる。
さらに、本実施形態は、実物を拡大して表示することも可能である。微細なものの図面データを表示画面５１に拡大して表示することで、内容を詳細に把握したり、正確に計測したりすることができる。
例えば実寸の１０倍スケール、２０倍スケール等を用意すれば、それに併せた尺度の三角スケールを用いることで換算が不要となる。また、通常の定規であれば換算することで正確な寸法を知ることができる。
【符号の説明】
【００５３】
２０  図面サーバ
２２  ＣＰＵ
５０  タブレット型端末装置
５１  表示画面
５２  ＣＰＵ
６８  図面表示プログラム
６９  表示密度記憶部
１００  三角スケール
２００  固定縮尺メニュー
【図１】
0005334338.tif 000002
【図２】
0005334338.tif 000003
【図３】
0005334338.tif 000004
【図４】
0005334338.tif 000005
【図５】
0005334338.tif 000006
【図６】
0005334338.tif 000007
【図７】
0005334338.tif 000008
【図８】
0005334338.tif 000009
【図９】
0005334338.tif 000010
【図１０】
0005334338.tif 000011
【図１１】
0005334338.tif 000012
【図１２】
0005334338.tif 000013